(57)【要約】  【課題】  記憶装置が記憶しているデータを単体で確認できるようにする。  【解決手段】  記憶装置１は、ＰＣカード状の第１筐体２に第２筐体３を連結部４で開閉回動できるように連結する。第１筐体２は先端部２ａに外部接続部５を設けると共に内部に記憶部及び制御部等を備え、第２筐体３は液晶画面からなる表示部３及び二次電池を備える。記憶装置１は外部接続部５を通じて外部に対しデータを送受し、受け付けたデータを記憶部に記憶でき、記憶したデータを表示部７で表示できる。記憶装置１は外部機器と非接続状態でも二次電池から電力を供給することで表示部７でのデータ表示を行える。【選択図】        図１
2005100060.tif 000002
【特許請求の範囲】
【請求項１】
外部機器の接続端子に直接的に接続することが可能な外部接続部と、
該外部接続部を介して外部から受け付けたデータの表示を行う表示部と、
前記外部接続部を介して外部から受け付けたデータを記憶する記憶部と
を備えることを特徴とする記憶装置。
【請求項２】
ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）に係る規格、ＵＳＢ（Ｕｎｉｖｅｒｓａｌ  Ｓｅｒｉａｌ  Ｂｕｓ）に係る規格又はＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  Ｉｎｃ．）１３９４に係る規格のいずれか１つに対応した接続端子に直接的に接続することが可能な外部接続部と、
該外部接続部を介して外部から受け付けたデータを記憶する記憶部と、
データの表示を行う表示部と
を備えることを特徴とする記憶装置。
【請求項３】
前記表示部は、前記外部接続部を介して外部から受け付けたデータ又は前記記憶部が記憶するデータを選択的に表示することが可能であり、
前記表示部が表示するデータの選択に係る制御を行う表示制御部を更に備える請求項１又は請求項２に記載の記憶装置。
【請求項４】
前記記憶部及び表示部への電力供給を行う電池を装着する電池装着部を更に備える請求項１乃至請求項３のいずれか１つに記載の記憶装置。
【請求項５】
前記外部接続部は、
外部から電力を受け付ける受電手段を備える請求項１乃至請求項４のいずれか１つに記載の記憶装置。
【請求項６】
前記電池装着部は、二次電池を装着する構成にしてあり、
前記電池装着部に装着した二次電池を前記受電手段が受け付けた電力により充電する充電手段を更に備える請求項５に記載の記憶装置。
【請求項７】
外部からの操作を受け付ける操作受付部を更に備え、
前記表示制御部は、前記操作受付部が受け付けた操作に基づき制御を行う手段を備える請求項３乃至請求項６のいずれか１つに記載の記憶装置。
【請求項８】
前記表示部はタッチパネル式であり、
前記表示部に外部からの操作を受け付けることが可能な操作部を表示形成する手段を更に備え、
前記表示制御部は、前記操作部が受け付けた操作に基づき制御を行う手段を備える請求項３乃至請求項７のいずれか１つに記載の記憶装置。
【請求項９】
記憶媒体を接続することが可能な記憶媒体接続部と、
該記憶媒体接続部を介してデータを外部へ出力するデータ出力手段と
を更に備える請求項１乃至請求項８のいずれか１つに記載の記憶装置。
【請求項１０】
前記外部接続部を有する第１筐体と、
該第１筐体に開閉回動を行えるように連結してあり、前記表示部を有する第２筐体と
を更に備える請求項１乃至請求項９のいずれか１つに記載の記憶装置。
【請求項１１】
前記第２筐体を前記開閉回動に係る中心軸に対して直交的な軸を中心に回転すること可能な回転部を更に備える請求項１０に記載に記憶装置。
【発明の詳細な説明】
【技術分野】
【０００１】
本発明は、取り外し自在（リムーバブル）な記憶装置に表示部を設けることにより、データを閲覧できるようにした記憶装置に関する。
【背景技術】
【０００２】
従来、パーソナルコンピュータが有するＰＣカードスロット、ＵＳＢコネクタ及びＩＥＥＥ１３９４コネクタのような接続インタフェースへ直接的に接続することが可能な記憶装置が存在する。このような記憶装置は半導体メモリ又はハードディスク等からなるデータの記憶部を内蔵している。
【０００３】
この記憶装置はパーソナルコンピュータの接続インタフェースに接続されることで、パーソナルコンピュータから出力されるデータを記憶部に書き込んで記憶できると共に、記憶しているデータを読み出してパーソナルコンピュータへ出力できる。なお、このような記憶装置の記憶容量は半導体メモリを用いた場合で３２ＭＢから１０２４ＭＢ程度であり、ハードディスクを用いた場合で約１ＧＢ〜４ＧＢ程度である。
【０００４】
一方、銀行カード及びクレジットカードのような各種カードに磁気及びＩＣ等からなる記憶メディアを内蔵することでデータの記憶機能を付加させたカードが存在する。さらに、このようなカードに表示部を設けることで、記憶しているデータを表示できるようにしたものも提案されている（特許文献１参照）。
【特許文献１】特開２０００−１２３１３５号公報
【発明の開示】
【発明が解決しようとする課題】
【０００５】
従来のリムーバブルな記憶装置は、記憶しているデータを単体で確認できないと云う問題があった。即ち、従来の記憶装置はデータを記憶する機能のみを有するため、記憶内容を確認するためには、モニタのような表示部を有するパーソナルコンピュータに記憶装置を接続し、記憶装置が記憶しているデータにアクセス又は読み出して表示部に表示しなければデータは確認できなかった。また、パーソナルコンピュータが起動していない場合は、パーソナルコンピュータが起動するのを待つ必要があるため、即座にデータを確認できない場合もあった。
【０００６】
よって、従来のリムーバブルな記憶装置は単体で使用できず、単なるデータの受け渡しに利用される一つの手段としての役割に留まっていた。なお、上述した特許文献１に開示された表示部を有するカードは、パーソナルコンピュータのような情報機器が有する接続インタフェースに直接的に接続できない上に、記憶するデータの種類はテキストデータが主体であるため記憶容量及び表示部の解像度等がテキストデータに対応した仕様であり、リムーバブルな記憶装置として各種データの記憶に適用できない。
【０００７】
本発明は、斯かる問題に鑑みてなされたものであり、パーソナルコンピュータのような情報機器及び各種電子・電気機器等に直接接続できる記憶装置に表示部を設けることにより、単体でデータを閲覧できるようにした記憶装置を提供することを目的とする。
また、本発明は、電源を内蔵することで場所に関係なく単体で使用できるようにした記憶装置を提供することを目的とする。
【０００８】
さらに、本発明は、各種操作を受け付け可能にすることで、表示部で表示する内容を制御できるようにした記憶装置を提供することを目的とする。
さらに、また、本発明は、他の記憶媒体との接続部を設けることにより、他の記憶媒体との間でもデータの授受を可能にしてデータの利用性を高めた記憶装置を提供することを目的とする。
また、本発明は、外部接続部及び表示部を夫々別の筐体に設けて、各筐体の位置を変更できるように連結することで、表示部の姿勢の自由度を高めて各種方向から表示内容を視認できるようにした記憶装置を提供することを目的とする。
【課題を解決するための手段】
【０００９】
上記課題を解決するために本発明の記憶装置は、外部機器の接続端子に直接的に接続することが可能な外部接続部と、該外部接続部を介して外部から受け付けたデータの表示を行う表示部と、前記外部接続部を介して外部から受け付けたデータを記憶する記憶部とを備えることを特徴とする。
【００１０】
本発明にあっては、表示部を設けることにより、外部接続部を介して受け付けたデータを表示できるようになり、受け付けたデータがどのような内容であるかを確認できる。また、外部機器が出力するデータを表示部で表示することにより、記憶装置の表示部を外部機器のモニタとして利用することも可能になる。
【００１１】
また、本発明の記憶装置は、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）に係る規格、ＵＳＢ（Ｕｎｉｖｅｒｓａｌ  Ｓｅｒｉａｌ  Ｂｕｓ）に係る規格又はＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  Ｉｎｃ．）に係る１３９４規格のいずれか１つに対応した接続端子に直接的に接続することが可能な外部接続部と、該外部接続部を介して外部から受け付けたデータを記憶する記憶部と、データの表示を行う表示部とを備えることを特徴とする。
【００１２】
本発明にあっては、汎用的な各種接続インタフェースに直接的に接続できる外部接続部を有するため、記憶装置を接続できる対象の外部機器を様々なものに広がり、また、表示部でデータ表示することで、記憶装置が有するデータを容易に確認できるようになる。また、データの表示は外部機器に依存することなく記憶装置単体で行うため、外部機器の起動状態に関係なくスムーズにデータ閲覧を行える。
【００１３】
さらに、本発明の記憶装置は、前記表示部は、前記外部接続部を介して外部から受け付けたデータ又は前記記憶部が記憶するデータを選択的に表示することが可能であり、前記表示部が表示するデータの選択に係る制御を行う表示制御部を更に備えることを特徴とする。
本発明にあっては、表示制御部が表示部で表示するデータを、外部から受け付けたものと記憶部が記憶するものとに切り替えるため、表示部で表示する内容の自由度が増し、記憶装置の利用形態も広がる。例えば、外部からのデータを表示する場合はモニタ的に利用形態になり、記憶部で記憶したデータを表示する場合は、記憶内容を閲覧するビューワ的な利用形態になる。
【００１４】
さらに、また、本発明の記憶装置は、前記記憶部及び表示部への電力供給を行う電池を装着する電池装着部を更に備えることを特徴とする。
本発明にあっては、電源として電池を装着できるため、電池を装着した状態では外部から電力を供給しなくてもデータの表示及び記憶が可能となり、単体で記憶装置を使用できる。
【００１５】
本発明の記憶装置は、前記外部接続部は、外部から電力を受け付ける受電手段を備えることを特徴とする。
本発明にあっては、受電手段が外部から電力を受け付けるため、接続対象の外部機器が接続インタフェースを通じて給電可能であれば、外部機器への接続状態で受け付けた電力により記憶装置を作動できるようになる。
【００１６】
また、本発明の記憶装置は、前記電池装着部は、二次電池を装着する構成にしてあり、前記電池装着部に装着した二次電池を前記受電手段が受け付けた電力により充電する充電手段を更に備えることを特徴とする。
本発明にあっては、二次電池を装着可能であると共に、受け付けた電力により二次電池を充電できるため、外部機器との接続状態を二次電池の充電に当てることができ、また、非接続状態では充電した二次電池により単体での使用が可能になる。
【００１７】
さらに、本発明の記憶装置は、外部からの操作を受け付ける操作受付部を更に備え、前記表示制御部は、前記操作受付部が受け付けた操作に基づき制御を行う手段を備えることを特徴とする。
本発明にあっては、操作受付部を設けることで、表示部での表示する内容を受け付けた操作に応じて適宜変更できるようになり、記憶装置の操作性が向上する。
【００１８】
さらに、また、本発明の記憶装置は、前記表示部はタッチパネル式であり、前記表示部に外部からの操作を受け付けることが可能な操作部を表示形成する手段を更に備え、前記表示制御部は、前記操作部が受け付けた操作に基づき制御を行う手段を備えることを特徴とする。
本発明にあっては、タッチパネル式の表示部を用いることで、操作に係るハード的な構成を簡易にできると共に、直感的な操作形態を提供できる。
【００１９】
本発明の記憶装置は、記憶媒体を接続することが可能な記憶媒体接続部と、該記憶媒体接続部を介してデータを外部へ出力するデータ出力手段とを更に備えることを特徴とする。
本発明にあっては、他の記憶媒体を接続できるため、記憶装置が有するデータを他の記憶媒体に記憶させることも可能になり、記憶装置を介在させたデータの利用性が一段と向上する。
【００２０】
また、本発明の記憶装置は、前記外部接続部を有する第１筐体と、該第１筐体に開閉回動を行えるように連結してあり、前記表示部を有する第２筐体とを更に備えることを特徴とする。
本発明にあっては、外部接続部と表示部とを別の筐体に設けると共に、両方の筐体を開閉回動できるように連結するので、表示部を種々の角度で配置でき表示部の視認性が向上する。
【００２１】
さらに、本発明の記憶装置は、前記第２筐体を前記開閉回動に係る中心軸に対して直交的な軸を中心に回転すること可能な回転部を更に備えることを特徴とする。
本発明にあっては、表示部を有する第２筐体を開閉回動の軸に対して直交的な軸を中心に回転可能にしているので、記憶媒体を外部機器に接続している状態でも表示部を様々な姿勢で配置でき表示部の視認性が一段と向上する。
【発明の効果】
【００２２】
本発明にあっては、表示部を設けることにより、外部接続部を介して受け付けたデータを表示でき、記憶装置の利用性を向上できる。
また、本発明にあっては、汎用的な各種接続インタフェースに直接的に接続できる外部接続部を有することで、記憶装置を多様な外部機器に接続でき、また、表示部を設けることで、記憶部に記憶したデータ及び外部から受け付けたデータ等を外部機器の起動状態に依存することなくスムーズに表示できる。
【００２３】
さらに、本発明にあっては、表示部で表示するデータの選択する表示制御部を備えることで、表示内容を適宜切り替えられるようになり、データ表示に係る機能を向上できる。
さらに、また、本発明にあっては、電池を装着可能にすることで、記憶装置単体での利用を実現できる。
【００２４】
また、本発明にあっては、外部から電力を受け付ける受電手段を設けることにより、外部機器から受け付けた電力により記憶装置を作動できる。
さらに、本発明にあっては、二次電池を装着可能にすると共に受け付けた電力により二次電池を充電可能にすることで、接続状態で二次電池を充電でき、非接続状態では充電した二次電池により記憶装置を単体で使用できる。
【００２５】
本発明にあっては、操作受付部を設けることで、表示部での表示する内容を受け付けた操作に応じて適宜変更できるようになり、表示内容の自由度を向上できる。
また、本発明にあっては、タッチパネル式の表示部を用いることで、操作に係るハード的な構成を簡易にできる。
さらに、本発明にあっては、他の記憶媒体を接続可能にすることで、記憶装置が有するデータを他の記憶媒体で記憶可能となり、記憶装置を介在させたデータの利用性を一段と向上できる。
【００２６】
また、本発明にあっては、外部接続部と表示部とを別の筐体に設けると共に、両方の筐体を開閉回動できるように連結することで、表示部を種々の角度で配置でき表示部の視認性を向上できる。
さらに、本発明にあっては、表示部を有する第２筐体を開閉回動の軸に対して直交的な軸を中心に回転可能にすることで、一段と表示部の配置自由度を向上でき、記憶装置の使用性を向上できる。
【発明を実施するための最良の形態】
【００２７】
図１は、本発明の第１実施形態に係る記憶装置１の斜視図であり、外部機器であるノート型のパーソナルコンピュータ１０の一側面１０ａに設けられたＰＣカードスロット１０ｂにカード型の記憶装置１を差し込もうとする状態を示す。
本実施形態の記憶装置１はＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）が制定したＰＣカードの規格に合致した矩形板状の第１筐体２と、モニタ画面である表示部７を有する平板状の第２筐体３とを連結部４で連結し、図３に示す第２筐体３を第１筐体２に重ねて閉じた折り畳み状態と、第２筐体３を第１筐体２に対して開けた状態とに開閉回動できるようにしている。
【００２８】
第１筐体２は、図２（ａ）に示すように、差込側となる先端部２ａに外部接続部５を設けている。この外部接続部５はＰＣＭＣＩＡに係る規格であるＰＣカードのインタフェース仕様に準じており、図１に示すパーソナルコンピュータ１０のＰＣカードスロット１０ｂの奥に設けられたＰＣＭＣＩＡ規格に対応した接続端子１０ｄと直接的に接続し、機構的に結合できるようにしている。なお、第１筐体２は、長辺側の両側部２ｂ、２ｃは、パーソナルコンピュータ１０のＰＣカードスロット１０ｂへと差込が案内されるような厚み及び形状になっている。
【００２９】
また、第１筐体２は、第２筐体３が重なる面の中央部分に周囲より一段盛り上げた表面部２ｄを形成し、この表面部２ｄに操作受付部６として菱形の操作スイッチ６ａ、円状の第１及び第２ボタン６ｂ、６ｃを設けている。操作スイッチ６ａは各隅を押し下げることにより表示部７で表示する内容の選択等の操作指示を受け付けることができ、第１ボタン６ｂは操作スイッチ６ａで選択された内容に対し決定指示を受け付けるものであり、第２ボタン６ｃは表示部７にメニューを表示させる指示を受け付けるものである。
【００３０】
さらに、第１筐体２は図３に示すように、表面部２ｄの裏側となる裏面２ｇにおいて連結部４を設けた側に開口した外部スロット部２ｈを設けている。この外部スロット部２ｈは外部の記憶媒体を接続する記憶媒体接続部として機能するものであり、開口の内部に接続コネクタ（図示せず）を設けて、第１筐体２より小さい寸法の半導体メモリのような他の記憶媒体Ｋを差し込んで前記接続コネクタに接続できるようにしている。また、外部スロット部２ｈの開口の傍にはイジェクトボタン２ｉを設けており、イジェクトボタン２ｉを押すことにより外部スロット部２ｈに差し込んだ記憶媒体Ｋの接続を解除し、記憶媒体Ｋを取り出せるようにしている。
【００３１】
さらに、また、図１及び図２（ｂ）に示すように、第１筐体２は、先端部２ａと反対側となる短辺の両端に円柱状の第１支持部２ｅ及び第２支持部２ｆを設けている。各支持部２ｅ、２ｆは、夫々対向する内面より回動軸８ａ、８ｂを突設している。
【００３２】
記憶装置１は、第１筐体２の各支持部２ｅ、２ｆの間に、第１筐体２と別体である連結部４を配置している。連結部４は棒状の部材であり、各支持部２ｅ、２ｆと対向する端面に嵌合孔（図示せず）を形成し、これら嵌合孔に回動軸８ａ、８ｂを嵌め込むことにより、回動軸８ａ、８ｂを中心に回動できるようにしている。また、連結部４は周囲の一部に平面部４ａを形成しており、この平面部より回動軸８ａ、８ｂと直交的な位置関係となるように回転軸９を突設している。
【００３３】
一方、第２筐体３は、表示部７を囲う枠部３ａの連結側となる底面３ｂに連結孔３ｃを形成しており、この連結孔３ｃに連結部４の回転軸９を装着している。このように装着することで、第２筐体３は連結部４を介して第１筐体２に連結されている。また、連結孔３ｃと回転軸９とを組み合わせた構成が、図１に示すように回転軸９と同心であるＸ軸を中心に第２筐体３を回転させる回転部として機能する。さらに、第２筐体３は連結部４が回動することで、図２（ｂ）に示すように回動軸８ａ、８ｂと同心であるＹ軸を中心に回動可能となり、第１筐体２に対して開閉できるようになる。なお、第２筐体３は図１に示すように一方の隅に電源ボタン１ａを設けている。
【００３４】
図４は、記憶装置１の内部的な構成を示すブロック図である。記憶装置１はデータの伝送を行う内部バス１６に外部接続部５、記憶部１１、表示用インタフェース部１２、内部メモリ部１３、制御部１４、操作受付部６及び外部スロット部２ｈを接続している。さらに記憶装置１は電力の供給を行う第１電力バス１７ａ〜第４電力バス１７ｄに上述した各部２ｈ、５、６、１１〜１４を接続すると共に電池装着部１８及び電源ボタン１ａを接続した構成にしている。
【００３５】
外部接続部５は、ＰＣＭＣＩＡの規格に基づき複数の端子（図示せず）を有しており、これら複数の端子の中でデータの授受に使用される端子に内部バス１６を接続している。また、外部接続部５は上述した複数の端子の中に外部から電力の供給を受け付ける端子を有しており、この電力供給を受け付ける端子に第１電力バス１７ａの一端を接続し、記憶装置１の受電手段として機能させている。
【００３６】
記憶部１１はデータの記憶を行うものであり、本実施形態では記憶部１１に半導体メモリを適用し第１筐体２の内部に配置している。記憶部１１は、内部バス１６を通じて受け付けたデータを記憶して書き込むことが可能であり、また、制御部１４の指示に基づき記憶しているデータを読み出して内部バス１６を通じて外部接続部５、表示用インタフェース部１２及び外部スロット部２ｈへ出力することも可能にしている。なお、記憶部１１が記憶するデータの種類には特に制限がなく、画像データ、表データ及びテキストデータ等の各種データの記憶が可能である。
【００３７】
表示用インタフェース部１２は、第２筐体３に設けられた表示部７と接続されており、内部バス１６を通じて受け付けたデータを表示部７に表示する処理を行う。
内部メモリ部１３は第１筐体２の内部に配置されており、制御部１４の処理内容を規定したプログラム及び表示部７に表示するメニュー画面等のデータ等を記憶している。
【００３８】
制御部１４は第１筐体２の内部に配置されており、記憶装置１の全体的な制御、並びに、操作受付部６が受け付けた各種操作指示に応じてデータ読み出し及び書き込み、表示部７の表示内容の選択、外部スロット部２ｈに対するデータ出力等に係る制御を内部メモリ部１３に記憶されたプログラムに基づき行う。
【００３９】
データ読み出しに対して制御部１４は、内部メモリ部１３のプログラムに基づき、表示部７に図５（ａ）に示すようなメニュー画面１９を表示する制御を行う。このメニュー画面１９の表示状態で、図１に示す操作受付部６の操作スイッチ６ａの各隅を押し下げることにより「サムネイル表示」又は「ファイル名表示」を選択したことを制御部１４は受け付ける。この選択を受け付けた状態で第１ボタン６ｂを押し下げることで選択された内容に決定されたことを制御部１４は受け付けて、受け付けた内容に応じた表示を行う制御をする。
【００４０】
図５（ｂ）は、制御部１４が「サムネイル表示」の決定を受け付けた場合の表示部７の表示内容を示している。この場合、制御部１４は記憶部１１に記憶されている画像データにアクセスして、表示するデータを表示用インタフェース部１２へ送出する処理を行うことで表示部７がサムネイル表示を行う。また、図５（ｂ）は制御部１４が「ファイル名表示」の決定を受け付けた場合の表示部７の表示内容を示している。この場合、制御部１４は記憶部１１に記憶されているデータにアクセスして、表示するファイル名を表示用インタフェース部１２へ送出する処理を行うことで表示部７が階層的なファイル名の表示を行う。
【００４１】
また、図５（ｂ）のサムネイル表示又は図５（ｃ）のファイル名表示の中から所要の画像又はファイル名を操作スイッチ６ａで選択すると共に第１ボタン６ｂの押し下げを行うことで、制御部１４は上述した操作指示に応じて決定されたデータを記憶部１１から読み出し、表示用インタフェース部１２へ出力する制御を行う。この制御処理により、表示部７に、図１に示すように選択された画像が全画面で表示される。
【００４２】
データの書き込みに対して制御部１４は、書き込み対象となるデータの受付元になる「外部接続部５」又は「外部スロット部２ｈ」を選択するようなメニュー画面（図示せず）を表示し、操作スイッチ６ａ及び第１ボタン６ｂの操作指示を受け付けることにより、外部から受け付けたデータを記憶部１１に書き込んで記憶させる処理を行う。
【００４３】
さらに、表示内容の選択に対して制御部１４は、表示させるデータの対象として「外部接続部５」「記憶部１１」又は「外部スロット部２ｈ」を選択するようなメニュー画面（図示せず）を表示し、操作スイッチ６ａ及び第１ボタン６ｂの操作指示を受け付けることで、受け付けた内容に応じた対象のデータを表示用インタフェース部１２へ出力する制御を表示制御部として行う。よって、表示部７は、外部接続部５を介して外部から受け付けたデータ、記憶部１１に記憶されたデータ、又は、外部スロット部２ｈに接続されている記憶媒体に記憶されているデータを選択的に表示できるようになる。その結果、例えば、記憶装置１が図１のパーソナルコンピュータ１０に接続されている場合、外部接続部５からのデータを表示部７で表示することにより、パーソナルコンピュータ１０のサブ画面としても機能できるようになる。
【００４４】
さらに、また、外部スロット部２ｈに対するデータ出力に対し、制御部１４は外部スロット部２ｈへデータ出力を行うか否かを選択するようなメニュー画面（図示せず）を表示し、操作スイッチ６ａ及び第１ボタン６ｂによりデータ出力を行う操作指示を受け付けた場合、上述したような図５（ａ）（ｂ）の表示で選択されたデータを外部スロット部２ｈへ出力する制御をデータ出力手段として行う。
【００４５】
また、図４に示す記憶装置１の電力に係る構成は、蓄電池１５が有する電力又は外部接続部５が受け付けた電力を電源ボタン１ａを介して各部１１、１２等へ供給するようにしている。本実施形態の蓄電池１５は二次電池であるシート状のリチウムポリマー電池を用いており、第２筐体３の表示部７の背面側に配置している。このようにシート状の蓄電池１５を用いることで、第２筐体３が厚くなるのを防止している。
【００４６】
蓄電池１５は第２筐体３の内部に設けられた電池装着部１８に装着されており、この電池装着部１８に外部接続部５に一端が接続された第１電力バス１７ａの他端が接続されている。電池装着部１８は充電手段としても機能しており、図１に示すようにパーソナルコンピュータ１０のような外部機器に記憶装置１が接続されている場合、外部接続部５及び第１電力バス１７ａを通じて外部から受け付けた電力により蓄電池１５を充電するようにしている。
【００４７】
また、電池装着部１８は、第２電力バス１７ｂにより電源ボタン１ａと接続されており、電源ボタン１ａは第３電力バス１７ｃにより内部メモリ部１３、制御部１４及び操作受付部６と接続され、さらに第４電力バス１７ｄにより記憶部１１、表示用インタフェース部１２、表示部７及び外部スロット部２ｈに接続されている。電源ボタン１ａは押し下げられてオンになると、第２電力バス１７ｂに第３電力バス１７ｃ及び第４電力バス１７ｄを導通させる構成になっており、オンの状態で各部２ｈ、５、６、１１〜１４に電力が供給されるようにしている。
なお、図２（ｂ）では図示していないが、第１筐体２及び第２筐体３との間のデータ伝送及び電力供給に係る配線が存在する。
【００４８】
記憶装置１は、上述したように蓄電池１５により電力供給を行うため、外部機器に接続していない単体の状態でも、記憶部１１に記憶しているデータの閲覧及び出力等を可能にしており、従来の記憶装置に比べて使用形態を広げている。また、記憶装置１はデータの書き込み、読み出し、表示及び出力等に処理を限定しているため、電源ボタン１ａをオンすれば即座に処理を開始でき、スムーズなデータ閲覧を実現している。さらに、記憶装置１は第１筐体２に対し第２筐体３を開閉回動できるため、図３に示すような折り畳んだ状態で全体をコンパクトに維持し、第２筐体３を所要の位置に開いた状態ではＸ軸を中心に回転可能にして第２筐体３を様々な姿勢に配置できるようにし、表示部３の視認性を高めている。
【００４９】
なお、記憶装置１が接続できる外部機器は図１に示すパーソナルコンピュータ１０に限定されるものでなく、ＰＣＭＣＩＡ規格に基づいた接続端子を有する電気・電子機器及び情報機器に適用可能である。
【００５０】
図６（ａ）は記憶装置１が接続できる外部機器に相当する撮像装置２０を示している。撮像装置２０は、直方体状の本体部２１の一側面２１ａの中央を窪ませてカードスロット部２１ｂを形成している。カードスロット部２１ｂは、図６（ａ）で上方となる箇所を開口させてカード挿入部２１ｃにすると共に差し込んだＰＣＭＣＩＡ仕様に準じたカードを係合できる形状にしている。また、カードスロット部２１ｂはカード挿入部２１ｃに対向する底部に接続端子２２を設けている。さらに、撮像装置２０は、カードスロット部２１ｂを設けた一側面２１ａと直交する一方の面にレンズ部２３を設けると共に他方の面にはファインダー部２４及び操作部２５を設けている。
【００５１】
撮像装置２０の内部構成は、レンズ部２３で集光した像の撮像を行うＣＣＤを形成する撮像素子、この撮像素子で撮像した画像をＡ／Ｄ変換するＡ／Ｄ変換部、及びデジタルに変換したデータの処理部等を備える。しかし、撮像装置２０は撮像した画像のデータを記憶する記憶手段及び撮像内容及び撮像した画像を表示するモニタを設けていない。
【００５２】
図６（ｂ）に示すように、上述した撮像装置２０のカードスロット部２１ｂに記憶装置１の第１筐体２を差し込んで接続端子２２に接続することで、記憶装置１の記憶部１１及び表示部７は、撮像装置２０の記憶手段及びモニタとして機能する。即ち、撮像装置２０が撮像した画像に係るデータは接続端子２２を通じて記憶装置１の記憶部１１に記憶でき、また、撮像素子に集光された画像を表示部７に表示できるようになる。なお、撮像時及びデータの表示時等には表示部７を有する第２筐体３を第１筐体２に対して所要の姿勢にできるため、撮像装置２０は記憶装置１との組み合わせにより、一般的な撮像装置と同様の操作性及び機能を確保している。
【００５３】
なお、上述した組み合わせの構成は、動画と静止画の両方の撮像、記憶及び表示に対応可能である。また、撮像した画像に係るデータを記憶した記憶装置１を撮像装置２０から抜き取って、図１のようなパーソナルコンピュータ１０に接続することで、撮像した画像に係るデータをパーソナルコンピュータ１０でも容易に利用でき、データの利用性を高めることができる。
【００５４】
図７は、記憶装置１を接続できる外部機器としてプリンタ装置３０を示している。プリンタ装置３０は、直方体状の本体部３１の上面３１ａの中央を窪ませてカードスロット部３１ｂを形成している。カードスロット部３１ｂは、一方の端部を開口させてカード挿入部３１ｃにすると共に差し込んだＰＣＭＣＩＡ仕様に準じたカードを係合できる形状にしている。また、カードスロット部３１ｂはカード挿入部３１ｃに対向する底部に接続端子（図示せず）を設けている。また、プリンタ装置３０は、上面３１ａの一部に操作部３３を設けると共に、図７において手前側となる一側面３１ｄに用紙Ｐの排出口３２を形成している。
【００５５】
プリンタ装置３０の内部構成は、データを用紙Ｐに印刷するための印刷用のインク、インクの噴射部、用紙Ｐを収めるトレイ部、用紙Ｐの送り出し部及び各部を制御する制御部等を備えている。このプリンタ装置３０のカードスロット部３１ｂに、記憶装置１の第１筐体２を差し込んで外部接続部５をプリンタ装置３０の接続端子に接続すると共に、操作スイッチ６ａ、第１及び第２ボタン６ｂ、６ｃを適宜操作して外部接続部５から所要のデータを出力することにより、記憶装置１が有するデータをプリンタ装置３０で印刷可能になる。なお、印刷するデータは表示部７で表示することにより確認できる。
【００５６】
また、記憶装置１を接続できる上記以外の外部機器の一例として無線装置が存在する。この無線装置は記憶装置１を差し込めるカードスロット部及び接続端子を有すると共に、外部と無線でデータの送受を行う無線手段を設けている。無線手段としては赤外線通信（ＩｒＤＡ）、ＩＥＥＥ８０２．１１系の無線ＬＡＮ及び近距離の無線通信が可能なＢｌｕｅｔｏｏｔｈ及びＰＨＳ等を適用できる。よって、記憶装置１を上述したような無線装置に接続することで、無線通信よりインターネットのようなネットワークから各種データを取り込むと共に取り込んだデータを記憶部１１に記憶及び表示部７に表示できるようになる。また、記憶装置１が記憶するデータを、無線手段を通じて外部に配信できるようになる。
【００５７】
なお、第１実施形態に係る記憶装置１は上述した構成に限定されるものでなく、種々の変形例の適用が可能である。例えば、記憶部１１は半導体メモリではなく小型のハードディスクを用いてもよい。また、表示部７はタッチパネル式のものを用いて操作スイッチ６ａで選択していた内容を表示部７の所要箇所を触ることで選択できるようにしてもよい。例えば、図５（ｂ）に示すようなサムネイル表示において各画像の表示部分を外部からの操作を受け付けることが可能な操作部として表示形成し、全画面表示したい画像の表示箇所（操作部）に触れることで、触れた画像を全画面表示するような制御を制御部１４が行うようにしてもよい。このようにタッチパネル式の表示部７を用いた場合は、操作スイッチ６ａ及び第２ボタン６ｃ等を省略した構成にすることも可能になる。
【００５８】
さらに、第１実施形態に係る記憶装置１は、第２筐体３がＸ軸を中心に回転する構成も省略することも可能である。このような構成でも記憶装置１を折りたためることができるため所要の使用性を維持した上で可動部分の構成を簡易化できる。また、蓄電池１４はリチウムポリマー電池以外にも通常のリチウム電池、ニッケルカドミウム電池及びニッケル水素電池のような他の種類の二次電池を用いることも可能であり、太陽電池を用いるようにしてもよい。さらに、また、蓄電池１４を用いずにボタン電池のような一次電池を記憶装置１の電源装着部１８に装着できるようにしてもよい。この場合は、外部から充電する構成を不要にできる。また、外部スロット部２ｈは省略することも可能であり、外部接続部５は将来的に策定される接続インタフェースの規格に対応させることも可能である。
【００５９】
図８（ａ）は、本発明の第２実施形態に係る記憶装置５１の外観を示す斜視図である。第２実施形態の記憶装置５１は、単一の筐体５２に表示部５７及び記憶部（図示せず）を設けたことを特徴とする。筐体５２はＰＣＭＣＩＡ規格に応じたＰＣカードスロットに差し込める矩形板状に形成されており、両側の長辺部５２ｂ、５２ｃでＰＣカードスロットの案内部に差し込めるようにしている。
【００６０】
また、筐体５２の差込側のとなる先端部５２ａにＰＣＭＣＩＡ規格に応じた外部接続部５５を有しており、周囲より一段盛り上がった中央の表面部５２ｄに表示部５７、第１操作ボタン５６ａ及び第２操作ボタン５６ｂを設けている。また、第２実施形態の記憶装置５１の内部的な構成は図４に示す第１実施形態の記憶装置１と外部スロット部２ｈを省略した以外は同等にしている。よって、第２実施形態の記憶装置５１も第１実施形態の記憶装置１と略同等の機能を発揮でき、単体でデータの閲覧及び出力等を可能にしている。
【００６１】
なお、第２実施形態の記憶装置５１が接続できる外部機器は第１実施形態と同様であるが、表示部５７が筐体５２に設けられていることより、図６（ａ）の撮像装置２０、図７にプリンタ装置３０のように一面が開放されたＰＣカードスロット２１ｂ、３１ｂを有する外部機器に接続する方が、表示部５７が隠れないため好適である。なお、第２実施形態の記憶装置５１も第１実施形態に係る各種変形例を第２筐体３が関連する以外の部分で適用できる。
【００６２】
図８（ｂ）は、本発明の第３実施形態に係る記憶装置６１の外観を示す概略図である。第３実施形態の記憶装置６１は、外部接続部６５をＵＳＢ（Ｕｎｉｖｅｒｓａｌ  Ｓｅｒｉａｌ  Ｂｕｓ）に係る規格に対応させていること、及び、それに伴い第１筐体６２を直方体状にしていることが第１実施形態の記憶装置１と相異している。
【００６３】
具体的に第３実施形態の記憶装置６１は、第１筐体６２の上面６２ｄの寸法を第１実施形態に比べて小さくしており、差込側の先端面６２ａに外部接続部６５を構成する端子を突出させている。また、第１筐体６２の上面６２ｄには計３個の操作ボタン６６ａ〜６６ｃを設けており、差込側と反対になる端部には支持部６２ｅ、６２ｆを設けている。各支持部６２ｅ、６２ｆの間には連結部６４を回動自在に取り付けると共に、この連結部６４を介して第２筐体６３を取り付けている。
【００６４】
第２筐体６３は、枠部６３ａの枠内に表示部６７を設けており、一方の隅に電源ボタン６１ａを設けている。上述した以外の構成は第１実施形態と同等にしており、内部構成も図４に示す内容と同様にしている。よって、記憶装置６１は第１実施形態の記憶装置１と同様の機能を発揮でき、単体でデータの表示、出力等を行える。なお、第３実施形態の記憶装置６１が接続できる外部機器は、ＵＳＢ規格に応じた接続端子を備えたものが対象となる。
【００６５】
なお、第３実施形態の記憶装置６１は上述した形態以外に、外部接続部６５をＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  Ｉｎｃ．）１３９４に係る規格に対応したものにすることも可能である。また、第３実施形態の記憶装置６１は、第１実施形態に係る各種変形例の適用が可能である。
【図面の簡単な説明】
【００６６】
【図１】本発明の第１実施形態に係る記憶装置の斜視図である。
【図２】（ａ）は第１筐体の外部接続部を示す要部斜視図、（ｂ）は第１筐体と第２筐体との連結構成を示す分解斜視図である。
【図３】第１実施形態に係る記憶装置の背面側からの概略斜視図である。
【図４】第１実施形態の記憶装置の内部構成を示すブロック図である。
【図５】（ａ）はメニュー画面の概略図、（ｂ）はサムネイル表示の概略図、（ｃ）は階層的にファイル名を表示した画面の概略図である。
【図６】（ａ）は記憶装置の接続が可能な撮像装置の斜視図、（ｂ）は記憶装置を接続した状態の撮像装置の斜視図である。
【図７】記憶装置を接続する状態を示すプリンタ装置の斜視図である。
【図８】（ａ）は第２実施形態に係る記憶装置の外観を示す斜視図、（ｂ）は第３実施形態に係る記憶装置の外観を示す斜視図である。
【符号の説明】
【００６７】
１  記憶装置
２  第１筐体
３  第２筐体
４  連結部
５  外部接続部
６  操作受付部
７  表示部
８a、８ｂ  回動軸
９  回転軸
１０  パーソナルコンピュータ
１０ｂ  ＰＣカードスロット
１０ｄ  接続端子
１１  記憶部
１４  制御部
１５  蓄電池
１８  電池装着部
２０  撮像装置
３０  プリンタ装置
Ｋ  記憶媒体
【図１】
2005100060.tif 000003
【図２】
2005100060.tif 000004
【図３】
2005100060.tif 000005
【図４】
2005100060.tif 000006
【図５】
2005100060.tif 000007
【図６】
2005100060.tif 000008
【図７】
2005100060.tif 000009
【図８】
2005100060.tif 000010